(57)【特許請求の範囲】
【請求項１】
平面形状が台形又は三角形の屋根面に設置する太陽電池アレイ（屋根面に設置された太陽電池モジュール群）であって、複数個の平面形状四角形の太陽電池モジュール及び平面形状台形の太陽電池モジュールが支持固定手段により支持固定された台形の太陽電池アレイと、前記太陽電池アレイの各周辺と屋根面の瓦葺き部分との隣接領域の防水を行う防水手段と、前記太陽電池アレイをその裏面から冷却するための通風換気手段とからなり、
前記支持固定手段は、屋根面の縦方向に長尺で且つその方向に所定の間隔で固定設置される複数の縦樋と、前記縦樋の上面にこれと併設して固定され、屋根面の縦方向に長尺で且つその方向に所定の間隔で設置され個々の太陽電池モジュールの左側端及び右側端を支持固定する複数の縦フレームと、屋根面の横方向に長尺で且つその方向に所定の間隔で設置され個々の太陽電池モジュールの上側端及び下側端を支持固定する複数の横フレームとからなり、
前記縦樋は、屋根面縦方向に固定されその上面に前記縦フレームが併設固定されると共に、太陽電池モジュールの左側端とこれを支持固定する左側端固定フレームとの間の隙間から漏れる雨水を受けて屋根面下方向に流す雨樋の機能を有する第２雨樋部及び太陽電池モジュールの右側端とこれを支持固定する右側端固定フレームとの間の隙間から洩れる雨水を受けて屋根面下方向に流す雨樋の機能を有する第１雨樋部を有し、前記縦フレーム上から覆い且つ固定するカバーを具備し、
前記縦フレームは、夫々断面形状が左右対象で屋根面縦方向に長尺の右側端固定フレームと左側端固定フレームとからなり、右側端固定フレームは１つ又は複数の太陽電池モジュールの右側端を支持固定すると共に右側端固定フレームと太陽電池モジュールの右側端との間の隙間から洩れる雨水を受けて前記縦樋（の第１雨樋部）に流す雨樋の機能を有し、左側端固定フレームは１つ又は複数の太陽電池モジュールの左側端を支持固定すると共に左側端固定フレームと太陽電池モジュールの左側端との間の隙間から洩れる雨水を受けて前記縦樋（の第２雨樋部）に流す雨樋の機能を有し、
前記横フレームは、夫々屋根面横方向に長尺の上端固定フレームと下端固定フレームとからなり、上端固定フレームは各太陽電池モジュールの上端を支持固定すると共に上端固定フレームと太陽電池モジュールの上端との間の隙間及び上端固定フレームと下端固定フレームとの間の隙間から洩れる雨水を受けて縦樋に流す雨樋の機能を有し、下端固定フレームは各太陽電池モジュールの下端を支持固定すると共に下端固定フレームと太陽電池モジュールの下端との間の隙間から洩れる雨水を受けて縦樋に流す雨樋の機能を有し、
前記防水手段は、太陽電池アレイ（屋根面に設置された太陽電池モジュール群）の上端部付近を防水する上端部防水機構と、太陽電池アレイの下端部付近を防水する下端部防水機構と、太陽電池アレイの右端部付近を防水する右端部防水機構と、太陽電池アレイの左側端部付近を防水する左側端部防水機構とからなり、
上端部防水機構は、前記太陽電池アレイ上端部の前記上端固定フレームから屋根面上端部の瓦葺き部分までの領域並びに右側端部防水機構及び左側端部防水機構の一部を防水板で覆う構造であり、
下端部防水機構は、太陽電池アレイ下端部より上部の雨水が吹き上がる可能性のある領域から屋根面下端部の瓦葺き部分までを防水板で覆う構造であり、
右側端部防水機構は、前記太陽電池アレイ右端部の前記右側端固定フレームから屋根面右側端の瓦葺き部分までの領域及び下端部防水機構の一部を防水板で覆う構造であり、
左側端部防水機構は、前記太陽電池アレイ左端部の前記左側端固定フレームから屋根面左側端の瓦葺き部分までの領域及び下端部防水機構の一部を防水板で覆う構造であり、
前記防水手段の前記上端部防水機構に用いられる防水板は、その下端付近で上端固定フレームを覆うと共にその下端部を太陽電池モジュールの表面方向に折曲させ、その上端部を断面形状が略「Ｕ」字形に屋根面下方向に折曲させ、その折曲させた上面を屋根面上端部の最下列の瓦の裏面に弾性接触するものであり、
前記防水手段の前記下端部防水機構は、その防水板を、その下端部を屋根面下端部の最上列の瓦を覆うように設置し、その裏面と前記瓦表面とを接着させると共に前記防水板の上端部よりやや下部に屋根面横方向に長尺で断面形状「Ｌ」字形の雨水の侵入を阻止する雨水阻止部材を設置するものであり、
前記防水手段の前記右側端部防水機構に用いられる防水板は、その左端付近で右側端固定フレーム及び縦樋を覆うと共にその右端部を断面形状が略「Ｕ」字形に屋根面左方向に折曲させ、その折曲させた上面を屋根面右側端部の（最左列の）瓦の裏面に弾性接触させるものであり、
前記防水手段の前記左側端部防水機構に用いられる防水板は、その右端付近で左側端固定フレーム及び縦樋を覆うと共にその左端部を断面形状が略「Ｕ」字形に屋根面右方向に折曲させ、その折曲させた上面を屋根面左側端部の（最右列の）瓦の裏面に弾性接触させることを特徴とする屋根一体型太陽電池アレイ。
【請求項２】
平面形状が台形又は三角形の屋根面に設置する太陽電池アレイ（屋根面に設置された太陽電池モジュール群）であって、複数個の平面形状四角形の太陽電池モジュール及び平面形状台形の太陽電池モジュールが支持固定手段により支持固定された台形の太陽電池アレイと、前記太陽電池アレイの各周辺と屋根面の瓦葺き部分との隣接領域の防水を行う防水手段と、前記太陽電池アレイをその裏面から冷却するための通風換気手段とからなり、
前記支持固定手段は、前記請求項１に記載の縦樋、縦フレーム及び横フレームからなり、
前記通風換気手段は、太陽電池アレイ（屋根面に設置された太陽電池モジュール群）の上端部の前記上端固定フレームの上側に隣接して設置され、第１換気用フレームと第２換気用フレームとからなり、
前記第１換気用フレームは前記上端固定フレーム（の第２雨樋部）を覆いその底面を前記縦樋に固定するものであり、
前記第２換気用フレームは前記第１換気用フレームと一定の隙間を設けてその上側に隣接して前記上端固定フレーム、上端固定フレームにより支持固定される太陽電池モジュールの上端部及び前記第１換気用フレームを覆いその底面を前記縦樋に固定するものであり、
前記第１換気用フレームと第２換気用フレームとの前記隙間により第２の通風路が形成され、前記縦樋の内部空間が第１の通風路として形成され、前記縦樋の上端付近で前記第１の通風路と第２の通風路が連結する構造により太陽電池モジュール裏面の空気を屋根面下方向から上方向に通風換気することを特徴とする屋根一体型太陽電池アレイ。
【請求項３】
平面形状が台形又は三角形の屋根面に設置する太陽電池アレイ（屋根面に設置された太陽電池モジュール群）であって、複数個の平面形状四角形の太陽電池モジュール及び平面形状台形の太陽電池モジュールが前記請求項１に記載の支持固定手段により支持固定された長方形又は正方形の太陽電池アレイと、前記太陽電池アレイの各周辺と屋根面の瓦葺き部分との隣接領域の防水を行う前記請求項１記載の防水手段と、前記太陽電池アレイをその裏面から冷却するための前記請求項２記載の通風換気手段とからなることを特徴とする屋根一体型太陽電池アレイ。
【請求項４】
平面形状が長方形又は正方形の屋根面に設置する太陽電池アレイ（屋根面に設置された太陽電池モジュール群）であって、複数個の平面形状四角形の太陽電池モジュールが前記請求項１記載の支持固定手段により支持固定された長方形又は正方形の太陽電池アレイと、前記太陽電池アレイの各周辺と屋根面の瓦葺き部分との隣接領域の防水を行う前記請求項１記載の防水手段とからなることを特徴とする屋根一体型太陽電池アレイ。
【請求項５】
平面形状が長方形又は正方形の屋根面に設置する太陽電池アレイ（屋根面に設置された太陽電池モジュール群）であって、複数個の平面形状四角形の太陽電池モジュールが前記請求項１記載の支持固定手段により支持固定された長方形又は正方形の太陽電池アレイと、前記太陽電池アレイをその裏面から冷却するための前記請求項２記載の通風換気手段とからなることを特徴とする屋根一体型太陽電池アレイ。
【請求項６】
平面形状が長方形又は正方形の屋根面に設置する太陽電池アレイ（屋根面に設置された太陽電池モジュール群）であって、複数個の平面形状四角形の太陽電池モジュールが前記請求項１に記載の支持固定手段により支持固定された長方形又は正方形の太陽電池アレイと、前記太陽電池アレイの各周辺と屋根面の瓦葺き部分との隣接領域の防水を行う前記請求項１記載の防水手段と、前記太陽電池アレイをその裏面から冷却するための前記請求項２記載の通風換気手段とからなることを特徴とする屋根一体型太陽電池アレイ。
【請求項７】
前記第１換気用フレームは、第２の通風路内へ雨水が侵入するのを阻止する雨水侵入阻止手段を有し、第２換気用フレームは、第１換気用フレームの雨水侵入阻止手段で阻止できない第２の通風路内へ侵入した雨水をを受けて太陽電池アレイの外に流す雨樋の機能を有すると共に、第２の通風路内へ侵入した雨水が第１の通風路内へ侵入するのを阻止する雨水侵入阻止手段を有することを特徴とする請求項２、３、５又は６に記載の屋根一体型太陽電池アレイ。
【請求項８】
前記通風換気手段は、前記第１の通風路又は第２の通風路内に換気用ファンを設けたことを特徴とする請求項２、３、５、６又は７に記載の屋根一体型太陽電池アレイ。
【請求項９】
前記換気用ファンを前記太陽電池アレイ又は別途設けた太陽電池の発電電力により駆動することを特徴とする請求項８に記載の屋根一体型太陽電池アレイ。
【発明の詳細な説明】
【０００１】
【発明の属する技術分野】
本発明は、瓦葺き作業と同様の作業で太陽電池アレイ施工が可能で且つ太陽電池アレイ内部及び周辺の防水機能並びに太陽電池モジュールの温度上昇を防止する換気通風機能を備えた屋根一体型太陽電池アレイに関する。
【０００２】
【従来の技術】
従来の架台を使用した太陽電池アレイの架台を構成する各フレームと各太陽電池モジュール間及び架台自体に防水に関する考慮がされていないという問題点を改良するため、架台を構成する各フレーム間及び各フレームとこれらに接する太陽電池モジュール間の防水性を向上させた屋根一体型太陽電池アレイも開発されたが、アレイを構成する各太陽電池モジュールを支持固定する固定部材の構造が複雑で且つその数も多いため、その製造及びアレイの施工が煩雑になるという問題があった。更に、太陽電池モジュールの温度上昇による発電効率の低下を簡単な構成により、積極的に改善したものは少なかつた。
【０００３】
【発明が解決しようとする課題】
本発明は、前記のような問題点を解消するためになされたもので、本発明の目的は、太陽電池アレイを構成する太陽電池モジュールの上端、下端、右側端及び左側端を支持固定する縦及び横フレームの構造を比較的簡単にして、前記構造部材の製造及び太陽電池アレイの施工を簡略化すると共に、太陽電池アレイを構成する太陽電池モジュールの上端、下端、右側端及び左側端を支持固定する縦横フレーム内の隙間及び各フレームと太陽電池モジュールの上端、下端、右側端及び左側端との間の隙間から洩れる雨水の防水と排水及び太陽電池アレイ周囲の防水性を向上させ、更に、太陽電池モジュールの温度上昇による発電効率の低下を防止することである。
【０００４】
【課題を解決するための手段】
（１）本発明は、平面形状が台形又は三角形の屋根面に設置する太陽電池アレイ（屋根面に設置された太陽電池モジュール群）であって、複数個の平面形状四角形の太陽電池モジュール及び平面形状台形の太陽電池モジュールが支持固定手段により支持固定された台形の太陽電池アレイと、前記太陽電池アレイの各周辺と屋根面の瓦葺き部分との隣接領域の防水を行う防水手段と、前記太陽電池アレイをその裏面から冷却するための通風換気手段とからなり、
前記支持固定手段は、屋根面の縦方向に長尺で且つその方向に所定の間隔で固定設置される複数の縦樋と、前記縦樋の上面にこれと併設して固定され、屋根面の縦方向に長尺で且つその方向に所定の間隔で設置され個々の太陽電池モジュールの左側端及び右側端を支持固定する複数の縦フレームと、屋根面の横方向に長尺で且つその方向に所定の間隔で設置され個々の太陽電池モジュールの上側端及び下側端を支持固定する複数の横フレームとからなり、
前記縦樋は、屋根面縦方向に固定されその上面に前記縦フレームが併設固定されると共に、太陽電池モジュールの左側端とこれを支持固定する左側端固定フレームとの間の隙間から漏れる雨水を受けて屋根面下方向に流す雨樋の機能を有する第２雨樋部及び太陽電池モジュールの右側端とこれを支持固定する右側端固定フレームとの間の隙間から洩れる雨水を受けて屋根面下方向に流す雨樋の機能を有する第１雨樋部を有し、前記縦フレーム上から覆い且つ固定するカバーを具備し、
前記縦フレームは、夫々断面形状が左右対象で屋根面縦方向に長尺の右側端固定フレームと左側端固定フレームとからなり、右側端固定フレームは１つ又は複数の太陽電池モジュールの右側端を支持固定すると共に右側端固定フレームと太陽電池モジュールの右側端との間の隙間から洩れる雨水を受けて前記縦樋（の第１雨樋部）に流す雨樋の機能を有し、左側端固定フレームは１つ又は複数の太陽電池モジュールの左側端を支持固定すると共に左側端固定フレームと太陽電池モジュールの左側端との間の隙間から洩れる雨水を受けて前記縦樋（の第２雨樋部）に流す雨樋の機能を有し、
前記横フレームは、夫々屋根面横方向に長尺の上端固定フレームと下端固定フレームとからなり、上端固定フレームは各太陽電池モジュールの上端を支持固定すると共に上端固定フレームと太陽電池モジュールの上端との間の隙間及び上端固定フレームと下端固定フレームとの間の隙間から洩れる雨水を受けて縦樋に流す雨樋の機能を有し、下端固定フレームは各太陽電池モジュールの下端を支持固定すると共に下端固定フレームと太陽電池モジュールの下端との間の隙間から洩れる雨水を受けて縦樋に流す雨樋の機能を有し、
前記防水手段は、太陽電池アレイ（屋根面に設置された太陽電池モジュール群）の上端部付近を防水する上端部防水機構と、太陽電池アレイの下端部付近を防水する下端部防水機構と、太陽電池アレイの右端部付近を防水する右端部防水機構と、太陽電池アレイの左側端部付近を防水する左側端部防水機構とからなり、
上端部防水機構は、前記太陽電池アレイ上端部の前記上端固定フレームから屋根面上端部の瓦葺き部分までの領域並びに右側端部防水機構及び左側端部防水機構の一部を防水板で覆う構造であり、
下端部防水機構は、太陽電池アレイ下端部より上部の雨水が吹き上がる可能性のある領域から屋根面下端部の瓦葺き部分までを防水板で覆う構造であり、
右側端部防水機構は、前記太陽電池アレイ右端部の前記右側端固定フレームから屋根面右側端の瓦葺き部分までの領域及び下端部防水機構の一部を防水板で覆う構造であり、
左側端部防水機構は、前記太陽電池アレイ左端部の前記左側端固定フレームから屋根面左側端の瓦葺き部分までの領域及び下端部防水機構の一部を防水板で覆う構造であり、
前記防水手段の前記上端部防水機構に用いられる防水板は、その下端付近で上端固定フレームを覆うと共にその下端部を太陽電池モジュールの表面方向に折曲させ、その上端部を断面形状が略「Ｕ」字形に屋根面下方向に折曲させ、その折曲させた上面を屋根面上端部の最下列の瓦の裏面に弾性接触するものであり、
前記防水手段の前記下端部防水機構は、その防水板を、その下端部を屋根面下端部の最上列の瓦を覆うように設置し、その裏面と前記瓦表面とを接着させると共に前記防水板の上端部よりやや下部に屋根面横方向に長尺で断面形状「Ｌ」字形の雨水の侵入を阻止する雨水阻止部材を設置するものであり、
前記防水手段の前記右側端部防水機構に用いられる防水板は、その左端付近で右側端固定フレーム及び縦樋を覆うと共にその右端部を断面形状が略「Ｕ」字形に屋根面左方向に折曲させ、その折曲させた上面を屋根面右側端部の（最左列の）瓦の裏面に弾性接触させるものであり、
前記防水手段の前記左側端部防水機構に用いられる防水板は、その右端付近で左側端固定フレーム及び縦樋を覆うと共にその左端部を断面形状が略「Ｕ」字形に屋根面右方向に折曲させ、その折曲させた上面を屋根面左側端部の（最右列の）瓦の裏面に弾性接触させる屋根一体型太陽電池アレイである。
【０００５】
（２）本発明は、平面形状が台形又は三角形の屋根面に設置する太陽電池アレイ（屋根面に設置された太陽電池モジュール群）であって、複数個の平面形状四角形の太陽電池モジュール及び平面形状台形の太陽電池モジュールが支持固定手段により支持固定された台形の太陽電池アレイと、前記太陽電池アレイの各周辺と屋根面の瓦葺き部分との隣接領域の防水を行う防水手段と、前記太陽電池アレイをその裏面から冷却するための通風換気手段とからなり、
前記支持固定手段は、前記（１）に記載の縦樋、縦フレーム及び横フレームからなり、
前記通風換気手段は、太陽電池アレイ（屋根面に設置された太陽電池モジュール群）の上端部の前記上端固定フレームの上側に隣接して設置され、第１換気用フレームと第２換気用フレームとからなり、
前記第１換気用フレームは前記上端固定フレーム（の第２雨樋部）を覆いその底面を前記縦樋に固定するものであり、
前記第２換気用フレームは前記第１換気用フレームと一定の隙間を設けてその上側に隣接して前記上端固定フレーム、上端固定フレームにより支持固定される太陽電池モジュールの上端部及び前記第１換気用フレームを覆いその底面を前記縦樋に固定するものであり、
前記第１換気用フレームと第２換気用フレームとの前記隙間により第２の通風路が形成され、前記縦樋の内部空間が第１の通風路として形成され、前記縦樋の上端付近で前記第１の通風路と第２の通風路が連結する構造により太陽電池モジュール裏面の空気を屋根面下方向から上方向に通風換気する屋根一体型太陽電池アレイである。
【０００６】
（３）本発明は、平面形状が台形又は三角形の屋根面に設置する太陽電池アレイ（屋根面に設置された太陽電池モジュール群）であって、複数個の平面形状四角形の太陽電池モジュール及び平面形状台形の太陽電池モジュールが前記（１）に記載の支持固定手段により支持固定された長方形又は正方形の太陽電池アレイと、前記太陽電池アレイの各周辺と屋根面の瓦葺き部分との隣接領域の防水を行う前記（１）に記載の防水手段と、前記太陽電池アレイをその裏面から冷却するための前記（２）に記載の通風換気手段とからなる屋根一体型太陽電池アレイである。
【０００７】
（４）本発明は、平面形状が長方形又は正方形の屋根面に設置する太陽電池アレイ（屋根面に設置された太陽電池モジュール群）であって、複数個の平面形状四角形の太陽電池モジュールが前記（１）に記載の支持固定手段により支持固定された長方形又は正方形の太陽電池アレイと、前記太陽電池アレイの各周辺と屋根面の瓦葺き部分との隣接領域の防水を行う前記（１）に記載の防水手段とからなる屋根一体型太陽電池アレイである。
【０００８】
（５）本発明は、平面形状が長方形又は正方形の屋根面に設置する太陽電池アレイ（屋根面に設置された太陽電池モジュール群）であって、複数個の平面形状四角形の太陽電池モジュールが前記（１）に記載の支持固定手段により支持固定された長方形又は正方形の太陽電池アレイと、前記太陽電池アレイをその裏面から冷却するための前記（２）に記載の通風換気手段とからなる屋根一体型太陽電池アレイである。
【０００９】
（６）本発明は、平面形状が長方形又は正方形の屋根面に設置する太陽電池アレイ（屋根面に設置された太陽電池モジュール群）であって、複数個の平面形状四角形の太陽電池モジュールが前記（１）に記載の支持固定手段により支持固定された長方形又は正方形の太陽電池アレイと、前記太陽電池アレイの各周辺と屋根面の瓦葺き部分との隣接領域の防水を行う前記（１）に記載の防水手段と、前記太陽電池アレイをその裏面から冷却するための前記（２）に記載の通風換気手段とからなる屋根一体型太陽電池アレイである。
【００１０】
（７）本発明は、前記第１換気用フレームが、第２の通風路内へ雨水が侵入するのを阻止する雨水侵入阻止手段を有し、第２換気用フレームは、第１換気用フレームの雨水侵入阻止手段で阻止できない第２の通風路内へ侵入した雨水をを受けて太陽電池アレイの外に流す雨樋の機能を有すると共に、第２の通風路内へ侵入した雨水が第１の通風路内へ侵入するのを阻止する雨水侵入阻止手段を有する前記（２）、（３）、（５）又は（６）に記載の屋根一体型太陽電池アレイである。
【００１１】
（８）本発明は、前記通風換気手段が、前記第１の通風路又は第２の通風路内に換気用ファンを設けた前記（２）、（３）、（５）、（６）又は（７）に記載の屋根一体型太陽電池アレイである。
【００１２】
（９）本発明は、前記換気用ファンを前記太陽電池アレイ又は別途設けた太陽電池の発電電力により駆動する前記（８）に記載の屋根一体型太陽電池アレイである。
【００１３】
【発明の実施の形態】
以下、本発明の実施の形態について説明する。
本発明の屋根一体型太陽電池アレイＳＡは、太陽電池アレイＳＡ自体が屋根瓦の役目を果たし、且つ太陽光により発電を行うもので、太陽電池アレイＳＡを構成する構成部材の部品点数を削減し、且つそれらの構造を簡単な構造にすることにより、その構成部材の製造及び太陽電池アレイＳＡの施工を簡略化し、太陽電池アレイＳＡ内部及び周囲の防水機能を向上させると共に太陽電池モジュール自身の温度上昇を防止するための通風換気機構を有するものである。
【００１４】
そして、本発明の屋根一体型太陽電池アレイＳＡは、平面形状が台形の屋根面（以下、台形屋根面という。）及び平面形状が三角形の屋根面（以下、三角形屋根面という。）からなる屋根面の家屋に適合するもので、平面形状四角形の太陽電池モジュール（以下、四角形太陽電池モジュールという。）ＳＭａ及び平面形状台形の太陽電池モジュール（以下、台形太陽電池モジュールという。）ＳＭｂを複数個縦横に配置することにより、台形屋根面４ａ又は三角形屋根面４ｂに設置が可能となる。この屋根一体型太陽電池アレイＳＡを設置することにより、少なくとも太陽電池アレイＳＡの下面の屋根面には瓦を葺く必要がなくなるので、屋根面の瓦葺き作業が軽減される。
【００１５】
本発明の屋根一体型太陽電池アレイＳＡは、台形屋根面４ａ又は三角形屋根面４ｂに設置されるもので、屋根面縦方向に長尺で太陽電池モジュールの略横寸法の間隔を隔てて屋根面に固定設置される縦樋１と、太陽電池モジュールの左右の側端を固定する部材でＳＭ左側端固定フレーム２２とＳＭ右側端固定フレーム２１とからなる縦フレーム２、太陽電池モジュールの上下端を固定する部材でＳＭ上端固定フレーム３２とＳＭ下端固定フレーム３１とからなる横フレーム３と、屋根面下端部防水機構５と屋根面上端部防水機構６と屋根面右側端部防水機構７と屋根面左側端部防水機構８とからなる太陽電池アレイＳＡと瓦との間の防水を行う防水機構と、通風換気機構９とから構成される。
【００１６】
【実施例】
本発明の屋根一体型太陽電池アレイＳＡは、図３に示すような平面形状が台形の屋根面（以下、台形屋根面という。）及び平面形状が三角形の屋根面（以下、三角形屋根面という。）からなる屋根面の家屋に適合するもので、図４に示す四角形太陽電池モジュールＳＭａ及び図５に示す台形太陽電池モジュールＳＭｂを複数個縦横に配置することにより、図１に示す台形屋根面４ａ又は図２に示す三角形屋根面４ｂに設置することが可能となる。この屋根一体型太陽電池アレイＳＡを設置することにより、少なくとも太陽電池アレイＳＡの下面の屋根面には瓦を葺く必要がなくなるので、屋根面の瓦葺き作業が軽減される。
【００１７】
また、実施例としては示していないが、平面形状四角形（正方形又は長方形）の屋根面の場合は、四角形の太陽電池モジュールＳＭａだけを、屋根面の縦及び横寸法に応じた数を縦横に設置することにより、平面形状四角形（正方形又は長方形）の太陽電池アレイを形成することができる。
【００１８】
本発明の屋根一体型太陽電池アレイＳＡの概略構成を以下に説明する。
本発明の屋根一体型太陽電池アレイＳＡは、図１及び図２に示すように台形屋根面４ａ又は三角形屋根面４ｂに設置されるもので、縦樋１、縦フレーム（モジュールの左右の側端を固定する部材）２、横フレーム（モジュールの上下端を固定する部材）３、屋根面下端部防水機構５、屋根面上端部防水機構６、屋根面右側端部防水機構７、屋根面左側端部防水機構８及び通風換気機構９から構成される。
【００１９】
縦フレーム２は、図１及び図２に示すように、前記台形屋根面４ａ又は三角形屋根面４ｂに設置された複数の四角形太陽電池モジュールＳＭａ及び台形太陽電池モジュールＳＭｂの縦方向１列分の複数のモジュールの左右の側端部を支持固定する部材であり、その形状は長尺で、屋根面縦方向に且つ屋根面に直接設置され屋根面縦方向に長尺の縦樋１の上に沿った状態で一定間隔（モジュールの略横寸法）で設置される。
【００２０】
なお、平面形状三角形及び等脚台形の太陽電池アレイにおいては左右両側端が、平面形状不等脚台形（例えば、一方の脚が垂直の場合）の太陽電池アレイにおいては左又は右の側端が、夫々屋根面に対して斜めに設置されるが、これについても縦フレーム２と定義する。
【００２１】
横フレーム３は、図１及び図２に示すように、前記台形又は三角形の屋根面に設置された複数の四角形太陽電池モジュールＳＭａ及び台形太陽電池モジュールＳＭｂの各モジュールの上下の端部を支持固定する部材であり、その形状は屋根面横方向に長尺で、屋根面横方向に一定間隔（モジュールの略縦寸法）で設置される。
【００２２】
屋根面防水機構は、図１及び図２に示すように、屋根面下端部防水機構５、屋根面上端部防水機構６、屋根面右側端部防水機構７及び屋根面左側端部防水機構８から構成され、これらは夫々屋根面４に設置した太陽電池モジュール群の下端部、上端部及び左右側端部周辺の瓦が葺かれていない部分の防水機能を果たす。
【００２３】
通風換気機構９は、太陽電池モジュールの温度上昇による発電効率の低下を防止する機構で、太陽電池モジュール下面と屋根面との間に隙間を設け、最上部の太陽電池モジュールの上端部を支持固定する横フレーム３、特に、図１２に示すように、ＳＭ上端固定フレーム３２内又は近傍に通風換気機構９を設けることにより、前記隙間を利用して太陽電池モジュール下端部から太陽電池モジュール上端部に向かって、矢印で示す方向に通風することにより、太陽熱等による太陽電池モジュールの温度上昇を防止する。
【００２４】
以下に太陽電池アレイＳＡを構成する各部材の詳細を説明する。
縦樋１は、図７に示すように、それ自体を屋根面に固定し、ＳＭ左端固定フレーム２２及びＳＭ右端固定フレーム２１を固定すると共に、ＳＭ左端固定フレーム２２及びＳＭ右端固定フレーム２１と太陽電池モジュールとの間の隙間から漏れた水を溜めて下方に流す雨樋の機能を有し、固定部１１、第１雨樋部１２、第２雨樋部１３及び、縦フレームカバー１４から構成され、屋根面縦方向に長尺のフレームで、その断面形状が略「コ」字状で、上向きに開口し、開口部底面中央部に略台形の固定部１１が、該固定部１１のＳＭ左端固定フレーム２２側に第２雨樋部１３が、該固定部１１のＳＭ右端固定フレーム２１側に第１雨樋部１２が夫々形成される。
【００２５】
固定部１１は、その断面形状台形の上面がＳＭ左側端固定フレーム２２及びＳＭ右側端固定フレーム２１を固定する部分で、前記台形の２つの斜辺に該当する斜面が縦樋１自体を屋根面４に固定する部分で、これらは夫々釘、ネジ等の固定手段により固定されるものであり、第２雨樋部１３ははＳＭ左端固定フレーム２２のＳＭ左端係合部２２ａと太陽電池モジュールの左端との隙間から漏れた水を下方に流し、同様に第１雨樋部１２はＳＭ右端固定フレーム２１のＳＭ右端係合部２１ａと太陽電池モジュールの左端との隙間から漏れた水を下方に流すもので、第１雨樋部１２及び第２雨樋部１３の側壁は夫々その上端で内側（固定部１１側）に折曲がる折曲部１２ａ及び１３ａを有し、この折曲部１２ａ及び１３ａの上に横フレーム３（ＳＭ上端固定フレーム３２又はＳＭ下端固定フレーム３１）又は太陽電池モジュールＳＭの底面が設置される。
【００２６】
縦フレームカバー１４は、図６、図７及び図９に示すように、固定部１１に固定されたＳＭ左側端固定フレーム２２及びＳＭ右側端固定フレーム２１の上からこれら覆って雨水等の侵入を防止するもので、該縦フレームカバー１４は釘、ネジ等の固定手段により固定部１１に固定される。
【００２７】
縦フレーム２は、図７に示すように、太陽電池モジュールの左又は右側端を固定する部材で、ＳＭ右側端固定フレーム２１及びＳＭ左側端固定フレーム２２から構成される。
【００２８】
なお、平面形状三角形及び等脚台形の太陽電池アレイにおいては左右両側端が、平面形状不等脚台形（例えば、一方の脚が垂直の場合）の太陽電池アレイにおいては左又は右側端が屋根面に対して斜に設置されるが、これについても縦フレーム２と定義する。
【００２９】
ＳＭ右側端固定フレーム２１は太陽電池モジュールの右側端を固定する部材で、屋根面下から見た断面が略「Ｌ」字状の長尺のフレームで、ＳＭ右側端係合部２１ａと縦樋接合部２１ｂとから構成され、ＳＭ右側端係合部２１ａはＳＭ右側端固定フレーム２１の垂直壁の上端部の左方向に略水平に２つの舌片が形成され、これら舌片により太陽電池モジュールの右側端を支持固定するものであり、縦樋接合部２１ｂはＳＭ右側端固定フレーム２１の底辺であり、前記縦樋１の固定部１１の上面と接合し、ネジ又はクギＮ等の固定手段により縦樋１に固定される。
【００３０】
ＳＭ左側端固定フレーム２２は太陽電池モジュールの左側端を固定する部材で、屋根面下から見た断面が略逆「Ｌ」字状の長尺のフレームで、ＳＭ左側端係合部２２ａと縦樋接合部２２ｂとから構成され、ＳＭ左側端係合部２２ａはＳＭ左側端固定フレーム２２の垂直壁の上端部の右方向に略水平に２つの舌片が形成され、これら舌片により太陽電池モジュールの左側端を支持固定するものであり、縦樋接合部２２ｂはＳＭ左側端固定フレーム２２の底辺であり、前記縦樋１の固定部１１の上面と接合し、ネジ又はクギＮ等の固定手段により縦樋１に固定される。
【００３１】
なお、前記ＳＭ右側端固定フレーム２１とＳＭ左側端固定フレーム２２とは互いに断面形状及び寸法が左右対象なものであるので、長さ寸法が同じものであれば上下を反転することにより何れにも使用することができる。
【００３２】
横フレーム３は、図８に示すように、太陽電池モジュールの下端を支持固定するＳＭ下端固定フレーム３１と同じく太陽電池モジュールの上端を支持固定するＳＭ上端固定フレーム３２から構成される。
【００３３】
ＳＭ下端固定フレーム３１は右側面から見た断面が略「Ｌ」字状の長尺のフレームで、ＳＭ下端係合部３１ａと雨樋部３１ｂとＳＭ上端固定フレーム接合部３１ｃとＳＭ上端固定フレーム係合部３１ｄと雪止め部３１ｅとから構成され、その高い側壁の長尺方向の両端部にはＳＭ右端固定フレーム２１又はＳＭ左端固定フレーム２２と固定するためのネジ穴ｎが設けられている。
【００３４】
そのＳＭ下端係合部３１ａは高い側壁の上端部の屋根の高い側の方向に略水平に２つの舌片が形成され、これら舌片により太陽電池モジュールＳＭの下端を支持固定するものであり、雨樋部３１ｂは前記「Ｌ」字状の溝部に形成され、ＳＭ下端係合部３１ａと太陽電池モジュールＳＭの下端との間の隙間から漏れた水を流す雨樋の機能を有し、ＳＭ上端固定フレーム接合部３１ｃは前記高い側壁の上端部のＳＭ下端係合部３１ａとは反対の方向に庇（ひさし）状に延びてＳＭ上端固定フレーム３２のＳＭ下端固定フレーム接合部３２ｄの上面と接合するものであり、ＳＭ上端固定フレーム係合部３１ｄは前記高い側壁の中間位置に設けられ、ＳＭ下端係合部３１ａとは反対の方向に延び且つ下方向に折曲片からなり、ＳＭ上端固定フレーム３２のＳＭ下端固定フレーム係合部３２ｅと係合することにより、ＳＭ下端固定フレーム３１とＳＭ上端固定フレーム３２とが係合するものであり、雪止め部３１ｅは前記ＳＭ上端固定フレーム接合部３１ｃの屋根面の低い側の端部から上側に折曲する折曲片を設けることにより雪止めの機能を有する。
【００３５】
ＳＭ上端固定フレーム３２は右側面から見た断面が逆「Ｌ」字状と「Ｌ」字状のものが背中合わせ状態の略「山」字状の長尺のフレームで、ＳＭ上端係合部３２ａと第１雨樋部３２ｂと第２雨樋部３２ｃとＳＭ下端固定フレーム接合部３２ｄとから構成され、その高い側壁の長尺方向の両端部にはＳＭ右端固定フレーム２１又はＳＭ左端固定フレーム２２と固定するためのネジ穴ｎが設けられている。
【００３６】
ＳＭ上端係合部３２ａは高い側壁の上端部の屋根の低い側の方向に略水平に２つの舌片が形成され、これら舌片により太陽電池モジュールＳＭの上端を支持固定するものであり、第１雨樋部３２ｂは前記逆「Ｌ」字状の溝部に形成され、ＳＭ上端係合部３２ａと太陽電池モジュールＳＭの上端との間の隙間から漏れた水を流す雨樋の機能を有し、第２雨樋部３２ｃは前記「Ｌ」字状の溝部に形成され、ＳＭ下端固定フレーム３１とＳＭ上端固定フレーム３２（ＳＭ上端固定フレーム接合部３１ｃとＳＭ下端固定フレーム接合部３２ｄ）との間の隙間から漏れた水を流す雨樋の機能を有し、ＳＭ下端固定フレーム接合部３２ｄは前記高い側壁の上端部のＳＭ上端係合部３２ａとは反対の方向に庇（ひさし）状に延びてＳＭ下端固定フレーム３１のＳＭ上端固定フレーム接合部３１ｃの下面と接合するものであり、ＳＭ下端固定フレーム係合部３２ｅは前記第２雨樋部３２ｃを形成するＳＭ下端固定フレーム３１側の低い側壁であり、ＳＭ下端固定フレーム３１のＳＭ上端固定フレーム係合部３１ｄと係合することにより、ＳＭ上端固定フレーム３２とＳＭ下端固定フレーム３１とが係合するものである。
【００３７】
縦フレーム２と横フレーム３の接合部、特に、ＳＭ右側端固定フレーム２１及びＳＭ左側端固定フレーム２２とＳＭ下端固定フレーム３１との接合部分について図９を用いて説明する。
【００３８】
図９は屋根面下から上方向を見た図であり、縦樋１の上に固定されたＳＭ右側端固定フレーム２１及びＳＭ左側端固定フレーム２２には夫々太陽電池モジュールＳＭ１及びＳＭ２が支持固定されているが、同様に太陽電池モジュールＳＭ１及びＳＭ２の下端もＳＭ下端固定フレーム３１により支持固定されている。そして、ＳＭ下端固定フレーム３１の底面は縦樋１の第１雨樋部１２の折曲部１２ａ及び縦樋１の第２雨樋部１３の折曲部１３ａの上面に設置されるので、縦樋１とこれと一定間隔隔てて設置された他の縦樋１との間には屋根面とＳＭ下端固定フレーム３１の底面又は太陽電池モジュールＳＭの底面との間に高さＨからなる空間（隙間）が生じ、この空間が通風のために利用される。また、ＳＭ右側端固定フレーム２１と太陽電池モジュールＳＭ１の右側端との隙間、及びＳＭ左側端固定フレーム２２と太陽電池モジュールＳＭ１の左側端との隙間から漏れた雨水等は矢印の方向に流れ夫々縦樋１の第１雨樋部１２及び第２雨樋部１３に流れ落ち、同時にＳＭ下端固定フレーム３１の内側底面を流れる雨水等は矢印の方向に流れ夫々縦樋１の第１雨樋部１２及び第２雨樋部１３に流れ落ちる。
【００３９】
なお、ＳＭ右側端固定フレーム２１及びＳＭ左側端固定フレーム２２とＳＭ上端固定フレーム３２との接合部分については、同様の構成であるから、説明を省略する。
【００４０】
屋根面下端部防水機構５は、図１、図２及び図１０（屋根面右方向から見た図）に示すように、太陽電池アレイＳＡの下端部と屋根面４の下端部間を防水する機構で、耐蝕性の金属板、例えば、フッソ鋼板等からなる防水板５１を屋根面４の下端部に設置する。この防水板５１の縦寸法は屋根面４の下端部に葺いたカラーベスト等の屋根瓦４１から太陽電池アレイＳＡの下端から一定幅（雨が吹き上げた場合に耐えうる距離）までの寸法で、同横寸法は太陽電池アレイＳＡの下端の横寸法と略同じかこれより多少大きめの寸法であることが望ましい。防水板５１の下端部の下面が防水テープ５２により前記屋根瓦４１の上面と固着する。そして、防水板５１の中間部及び上端部に所定間隔で屋根面４にネジ又はクギＮ等で固定すると共に、上端部よりやや下の位置に雨が吹き上げた場合に雨水を阻止する屋根面横方向に長尺で断面形状が「Ｌ」字形の雨止めアングル５３を設置する。この雨止めアングル５３を設置する場合、その底面に防水テープ５３ａを介してネジ又はクギ等で屋根面４に固定する。
【００４１】
屋根面右側端部防水機構７は、図１、図２及び図１１（屋根面下方向から見た図）に示すように、太陽電池アレイＳＡの右側端部と屋根面４の右側端部間を防水する機構で、右側端防水板７１が主たる構成部材で、この防水板７１は防水板左端固定フレームカバー部（左端近傍）７１ａと防水板縦樋カバー部７１ｂと防水板野地板接触部７１ｃ（瓦裏面と接触）とからなり、ＳＭ右側端固定フレーム２１及び縦樋１を上から覆うと共に、屋根瓦４１を葺いた領域では屋根瓦４１と野地板４２の間に設置して太陽電池アレイＳＡの右側端部近傍の防水を行うもので、耐蝕性の金属板、例えば、フッソ鋼板等からなる右側端防水板７１を屋根面４の右側端部に設置する。この防水板７１の縦寸法は太陽電池アレイＳＡの右側端の縦寸法と略同じかこれより多少大きめの寸法であることが望ましく、同横寸法は太陽電池アレイＳＡの右側端から一定幅（雨の侵入を阻止し得る距離）の寸法であることが望ましい。前記防水板右端固定フレームカバー部（左端近傍）７１ａはＳＭ右側端固定フレーム２１を覆う構造で、その左端部は内側に１８０度折曲げられた折曲構造として水滴の内部への侵入を防止する構造となっている。前記防水板縦樋カバー部７１ｂは縦樋１を上から覆うように構成され、前記防水板右端固定フレームカバー部７１ａより低い位置（ＳＭ右側端固定フレーム２１の底面）から略水平に縦樋１の右端及び縦樋の右側端までの領域である。前記防水板野地板接触部７１ｃは前記防水板縦樋カバー部７１ｂより低い位置（縦樋１の底面）から略水平に前記一定幅のもので、これは瓦４１と野地板４２との間に設置されその中間部に断面形状半円で屋根面上下方向に延びる帯状突起７１ｄを複数設けることにより雨水等の侵入を防止し、更に、その右端部を内側に折曲させた折曲構造とすることにより、その右端部は瓦４１の底面に弾性的に接合すると共に雨水等の侵入を防止する構造となっている。そして、前記防水板７１はその防水板縦樋カバー部７１ｂにおいて、ネジ又はクギＮ等により縦樋１に固定される。なお、前記帯状突起７１ｄの代わる雨水の侵入防止手段として、前記防水板７１の防水板野地板接触部７１ｃの上面に屋根面縦方向に１本又は複数の防水テープを貼着する方法もある。
【００４２】
屋根面左側端部防水機構８（図示せず。）は、太陽電池アレイＳＡの左側端部と屋根面４の左側端部間を防水する機構で、防水板が主たる構成部材で、この防水板は防水板右端固定フレームカバー部（左端部）と防水板縦樋カバー部と防水板野地板接触部（瓦裏面と接触）とからなるという点は、前記屋根面右側端部防水機構７と同様のものであり、但し、相違点がこれと左右対象の関係にあるだけであるので、屋根面左側端部防水機構８についての説明は省略する。
【００４３】
屋根面上端部防水機構６は、図１、図２及び図１２（屋根面右方向から見た図）に示すように、太陽電池アレイＳＡの上端部と屋根面４の上端部間を防水する機構で、耐蝕性の金属板、例えば、フッソ鋼板等からなる防水板６１を屋根面４の上端部に設置する。この防水板６１の縦寸法は太陽電池アレイＳＡの上端から屋根面４の上端部に葺いたカラーベスト等の瓦４１までの寸法で、同横寸法は太陽電池アレイＳＡの上端の横寸法より多少大きめの寸法で右側端防水板７１を一部覆うようにする。防水板６１の防水板上端部６１ａの上面は防水テープ６４等により前記屋根瓦４１の下面と固着する。そして、防水板６１の下端部６１ｂは太陽電池アレイＳＡの上端に設けたＳＭ上端固定フレーム３２及びこれと併設される通風換気機構９（第１換気用フレーム９１、第２換気用フレーム９２及び換気用ファン９３からなる。）、特に、第２換気用フレーム９２は第１換気用フレーム９１の上を覆い、その先端は下方に延びる折曲部を有する。そして、防水板６１の下端部６１ｂはネジ又は釘等で換気機構９の第２換気用フレーム９２に固定する。更に、防水板６１の中間部の下面付近の屋根面４の野地板４２に屋根面横方向に長尺で断面形状が逆「Ｌ」字形の水返し６３が設置される。この水返し６３は太陽電池アレイＳＡの上端に設けたＳＭ上端固定フレーム３２及び該ＳＭと併設される換気機構９付近から漏れた雨水を太陽電池アレイＳＡの両側端から外部に排出するためのものである。更に、図１３（分解図）及び図１４（組立図）に示すように、防水板メクラ板６２が防水板６１の左右側端を塞ぐために用いられる。防水板６１と防水板メクラ板６２及び防水板６１と右側端部防水機構７の防水板７１はネジ又はクギＮ等により固定される。
【００４４】
前記通風換気機構９は、図１２（屋根面右側から見た図）に示すように、第１換気用フレーム９１、第２換気用フレーム９２及び換気用ファン９３から構成され、第１換気用フレーム９１は太陽電池アレイＳＡ（最上端の太陽電池モジュール）の上端に設けたＳＭ上端固定フレーム３２のＳＭ下端固定フレーム接合部３２ｄの上面及び同ＳＭ上端固定フレーム３２の第２雨樋部３２ｃの上側及び側壁の外面を覆い且つモジュール上端から侵入する雨水を阻止する雨止突起９１ａを有し、前記雨止突起９１ａで阻止しきれない雨水を受けて太陽電池アレイ外部に排出する雨樋部９１ｂを有する構造でその底面が縦樋１に固定されている。また、第２換気用フレーム９２はＳＭ上端固定フレーム３２及び第１換気用フレーム９１を覆う構造で、第１換気用フレーム９１との間に換気のための通気路９４を有すると共に、大雨の時等にこの通気路から侵入する雨水を阻止する第１雨止突起９２ａ及び第２雨止突起９２ｂが施されている。更に、第２換気用フレーム９２の主壁９２ｃには必要に応じて換気用ファン９３を設置することにより、通風換気機能が一層強化され太陽電池アレイＳＡの発電効率が向上する。この換気用ファン９３を稼働させるための電力源としては、前記屋根面に設置された太陽電池アレイＳＡ又はこれと別設で小型の太陽電池セル又は太陽電池モジュールを用いる。
【００４５】
【発明の効果】
本発明は、屋根一体型太陽電池アレイを構成する各部材、即ち、縦樋、右側端固定フレーム及び左側端固定フレームからなる縦フレーム、上端固定フレーム及び下端固定フレームからなる横フレーム、防水機構（屋根面下端部防水機構、屋根面右側端部防水機構、屋根面左側端部防水機構及び屋根面上端部防水機構）及び通風換気機構を比較的簡単な構造にすることにより、各部材の製造及び太陽電池アレイの施工を簡略化することができる。
【００４６】
更に、本発明の屋根一体型太陽電池アレイを構成する縦樋及び横フレームに設けられた雨樋機能により太陽電池アレイを構成する各太陽電池モジュールの上端、下端、右側端及び左側端と、それらを支持固定する縦及び横フレームとの隙間、並びに各縦及び横フレーム内において洩れる雨水を受け太陽電池アレイの外に排水することができる。
【００４７】
更に、本発明の屋根一体型太陽電池アレイを構成する防水機構、即ち、屋根面下端部防水機構、屋根面右側端部防水機構、屋根面左側端部防水機構及び屋根面上端部防水機構により、太陽電池アレイ周囲の防水性を向上することができる。
【００４８】
更に、本発明の屋根一体型太陽電池アレイを構成する通気路及び通風換気機構により各太陽電池モジュールの裏面の通風が改善され、各太陽電池モジュールの裏面の温度上昇が抑制されるので、太陽電池アレイの温度上昇による発電効率の低下を防止することができる。
【図面の簡単な説明】
【図１】  本発明における台形屋根面に設置された屋根一体型太陽電池アレイＳＡを示す図（平面図）である。
【図２】  本発明における三角形屋根面に設置された屋根一体型太陽電池アレイＳＡを示す図（平面図）である。
【図３】  本発明における台形屋根面及び三角形屋根面からなる屋根に設置された屋根一体型太陽電池アレイＳＡを示す図（平面図）である。
【図４】  本発明の屋根一体型太陽電池アレイＳＡの構成部品である四角形太陽電池モジュールＳＭａの概略構造を示す図である。
【図５】  本発明の屋根一体型太陽電池アレイＳＡの構成部品である台形太陽電池モジュールＳＭｂの概略構造を示す図である。
【図６】  本発明の屋根一体型太陽電池アレイＳＡの概略構造を示す図（分解図）である。
【図７】  本発明の屋根一体型太陽電池アレイＳＡの構成部品である縦樋１及び縦フレーム２の構造を示す図（屋根面下方向から見た図）である。
【図８】  本発明の屋根一体型太陽電池アレイＳＡの構成部品である横フレーム３の構造を示す図（屋根面右側端から見た図）である。
【図９】  本発明の屋根一体型太陽電池アレイＳＡにおける、縦樋１、縦フレーム２及び横フレーム３の接合部の構造を示す図（屋根面下方向から見た図）である。
【図１０】  本発明の屋根一体型太陽電池アレイＳＡにおける、屋根面下端部防水機構５の概略構成を示す図（屋根面右側端から見た図）である。
【図１１】  本発明の屋根一体型太陽電池アレイＳＡにおける、屋根面右側端部防水機構７の概略構成を示す図（屋根面下方向から見た図）である。
【図１２】  本発明の屋根一体型太陽電池アレイＳＡにおける、屋根面上端部防水機構６の概略構成を示す図（屋根面右側端から見た図）である。
【図１３】  本発明の屋根一体型太陽電池アレイＳＡにおける、屋根面上端部防水機構６の概略構成図（分解図）である。
【図１４】  本発明の屋根一体型太陽電池アレイＳＡにおける、屋根面上端部防水機構６の概略構成図（組立図）である。
【符号の説明】
ＳＡ    太陽電池アレイ
ＳＭ    太陽電池モジュール
ＳＭ１  太陽電池モジュール
ＳＭ２  太陽電池モジュール
ＳＭａ  四角形太陽電池モジュール
ＳＭｂ  台形太陽電池モジュール
ＳＣ    太陽電池セル
１      縦樋
１１    固定部
１２    第１雨樋部
１２ａ  折曲部
１３    第２雨樋部
１３ａ  折曲部
１４    縦フレームカバー
２      縦フレーム
２１    ＳＭ右側端固定フレーム
２１ａ  ＳＭ右側端係合部
２１ｂ  縦樋接合部
２２    ＳＭ左側端固定フレーム
２２ａ  ＳＭ左側端係合部
２２ｂ  縦樋接合部
３      横フレーム
３１    ＳＭ下端固定フレーム
３１ａ  ＳＭ下端係合部
３１ｂ  雨樋部
３１ｃ  ＳＭ上端固定フレーム接合部
３１ｄ  ＳＭ上端固定フレーム係合部
３１ｅ  雪止め部
３２    ＳＭ上端固定フレーム
３２ａ  ＳＭ上端係合部
３２ｂ  第１雨樋部
３２ｃ  第２雨樋部
３２ｄ  ＳＭ下端固定フレーム接合部
３２ｅ  ＳＭ下端固定フレーム係合部
４      屋根面
４ａ    台形屋根面
４ｂ    三角形屋根面
４１    屋根瓦
４２    野地板
４３    垂木
５      屋根面下端部防水機構（下端防水機構）
５１    防水板
５２    防水テープ
５３    雨止めアングル
５３ａ  防水テープ
６      屋根面上端部防水機構（上端防水機構）
６１    防水板
６１ａ  防水板上端部
６１ｂ  防水板下端部
６２    防水板メクラ板
６３    水返し
６４    防水テープ
７      屋根面右側端部防水機構（右側端防水機構）
７１    右側端防水板
７１ａ  防水板左端固定フレームカバー部
７１ｂ  防水板縦樋カバー部
７１ｃ  防水板野地板接触部
７１ｄ  帯状突起
８      屋根面左側端部防水機構（左側端防水機構）
８１    左側端防水板
８１ａ  防水板右端固定フレームカバー部
８１ｂ  防水板縦樋カバー部
８１ｃ  防水板野地板接触部
９      通風換気機構
９１    第１換気用フレーム
９１ａ  雨止突起
９１ｂ  雨樋部
９２    第２換気用フレーム
９２ａ  第１雨止突起
９２ｂ  第２雨止突起
９２ｃ  主壁
９３    換気用ファン
９４    通気路
Ｎ      ネジ
ｎ      ネジ穴
Ｈ      高さ
【図１】
0004377466.tif 000002
【図２】
0004377466.tif 000003
【図３】
0004377466.tif 000004
【図４】
0004377466.tif 000005
【図５】
0004377466.tif 000006
【図６】
0004377466.tif 000007
【図７】
0004377466.tif 000008
【図８】
0004377466.tif 000009
【図９】
0004377466.tif 000010
【図１０】
0004377466.tif 000011
【図１１】
0004377466.tif 000012
【図１２】
0004377466.tif 000013
【図１３】
0004377466.tif 000014
【図１４】
0004377466.tif 000015